(57)【要約】【課題】サイホン作用を早期に発生させることができ、且つ少ない水で汚物等を排出することができ、サイホン発生後は汚物等をスムーズに搬送することができる水洗大便器を提供する。【解決手段】本発明の水洗大便器１は、立上管路１２と立下管路１４を備えたトラップ排水路６を有する水洗大便器１において、トラップ排水路６の立下管路１４の下端に接続された屈曲管路１８と、この屈曲管路１８の下流端に接続され且つその下流側が便器の後方に延びる横排水管路２０と、を有し、屈曲管路１８は、その屈曲管路１８の洗浄水が通過する通水路の断面積のうち、屈曲管路１８の左右方向中央の軸線Ａ０に対して一方側の通水路の断面積が、他方側の通水路の断面積より小さく形成されている。【選択図】図４
2014070416.tif 000002
【特許請求の範囲】
【請求項１】
立上管路と立下管路を備えたトラップ排水路を有する水洗大便器において、
トラップ排水路の立下管路の下端に接続された屈曲管路と、
この屈曲管路の下流端に接続され且つその下流側が便器の後方に延びる排水管路と、を有し、
上記屈曲管路は、その屈曲管路の洗浄水が通過する通水路の断面積のうち、上記屈曲管路の左右方向中央の軸線に対して一方側の通水路の断面積が、他方側の通水路の断面積より小さく形成されていることを特徴とする水洗大便器。
【請求項２】
上記屈曲管路は、上記屈曲管路の左右方向中央の軸線に対して一方側の内側側面が平坦な面形状に形成され、一方側の通水路の断面積を、他方側の通水路の断面積より小さく形成した請求項１記載の水洗大便器。
【請求項３】
上記屈曲管路は、上記平坦な面形状から下方に延びるＲ形状部が形成されている請求項２記載の水洗大便器。
【請求項４】
上記屈曲管路は、上記Ｒ形状部から上方のほぼ全体において、一方側の内側側面が、上記平坦な面形状に形成されている請求項３記載の水洗大便器。
【請求項５】
上記屈曲管路が、屈曲管路の内側下面の底部に、水溜り部を形成している請求項１乃至請求項４の何れか１項に記載の水洗大便器。
【請求項６】
上記屈曲管路及び排水管路が、上記立下管路に着脱自在に取り付けられた排水ソケットにより形成されている請求項１乃至請求項５の何れか１項に記載の水洗大便器。
【請求項７】
立上管路と立下管路を備えたトラップ排水路を有する水洗大便器において、
トラップ排水路の立下管路の下端に接続された屈曲管路と、
この屈曲管路の下流端に接続された排水管路と、を有し、
上記屈曲管路は、その屈曲管路の洗浄水が通過する通水路の断面積のうち、上記屈曲管路の左右方向中央の軸線に対して一方側の通水路の断面積が、他方側の通水路の断面積より小さく形成されていることを特徴とする水洗大便器。
【発明の詳細な説明】
【技術分野】
【０００１】
本発明は、水洗大便器に係り、特に、便器本体に設けられ立上管路と立下管路を備えたトラップ排水路を有する水洗大便器に関する。
【背景技術】
【０００２】
特許文献１に示されているように、排水ソケットの屈曲管路の内側下面を平坦面として、洗浄水が跳ね上がる量を増やし、屈曲管路の通水路の水膜によるシールを形成して、早期にサイホン作用を発生させる水洗大便器が知られている。
【０００３】
また、特許文献２に示されているように、排水ソケットの横管路に横管路縮減部材を設けることにより、早期に横管路の通水路内を満水にして、早期にサイホン作用を発生させる水洗大便器が知られている。
【先行技術文献】
【特許文献】
【０００４】
【特許文献１】特開2010-236203号公報
【特許文献２】特開2010-121323号公報
【発明の概要】
【発明が解決しようとする課題】
【０００５】
しかしながら、上述したような水洗大便器においては、近年の節水化においては、早期に管路の通水路の水膜によるシールを形成して早期にサイホン作用を発生させるには十分な対策となっておらず、早期にサイホン作用を発生させることができないという問題が生じていた。
また、サイホン作用を発生させるために管路を絞りすぎると、サイホン作用が発生した後の汚物等の搬送をスムーズに行うことができないといった問題が生じていた。
【０００６】
本件発明は、このような従来技術の問題を解決するためになされたものであり、サイホン作用を早期に発生させることができ、且つ少ない水で汚物等を排出することができ、サイホン発生後は汚物等をスムーズに搬送することができる水洗大便器を提供することを目的としている。
【課題を解決するための手段】
【０００７】
上記の目的を達成するために、本発明は、立上管路と立下管路を備えたトラップ排水路を有する水洗大便器において、トラップ排水路の立下管路の下端に接続された屈曲管路と、この屈曲管路の下流端に接続され且つその下流側が便器の後方に延びる排水管路と、を有し、屈曲管路は、その屈曲管路の洗浄水が通過する通水路の断面積のうち、屈曲管路の左右方向中央の軸線に対して一方側の通水路の断面積が、他方側の通水路の断面積より小さく形成されていることを特徴としている。
このように構成された本発明においては、その下流側が便器の後方に延びる排水管路に接続される屈曲管路の洗浄水が通過する通水路の断面積において、屈曲管路の左右方向中央の軸線に対して一方側の通水路の断面積を、他方側の通水路の断面積より小さく形成したために、立下管路から落下してきた洗浄水が、屈曲管路の左右方向中央の軸線に対して一方側の通水路内で屈曲管路の内側側面に沿って流れる洗浄水の流れと、屈曲管路の左右方向中央の軸線に対して他方側の通水路内で屈曲管路の内側側面に沿って流れる洗浄水の流れと、を左右で異なるように形成させることができ、屈曲管路の通水路の断面の水膜によるシールを早期に達成することができる。また、屈曲管路の洗浄水が通過する通水路の断面積において、屈曲管路の左右方向中央の軸線に対して一方側の通水路の断面積を、他方側の通水路の断面積より小さく形成するので、屈曲管路全体の通水路の断面積を絞りすぎず、汚物等を詰まらせることを抑制しながら汚物等をスムーズに搬送することができる。このため、本発明によれば、通水路を適度に絞り且つ洗浄水を左右非対称の流れにコントロールすることにより、サイホン作用を早期に発生させることができ、且つ少ない水で汚物等を排出することができ、サイホン発生後は汚物等をスムーズに搬送することが可能となる。
【０００８】
本発明において、好ましくは、屈曲管路は、屈曲管路の左右方向中央の軸線に対して一方側の内側側面が平坦な面形状に形成され、一方側の通水路の断面積を、他方側の通水路の断面積より小さく形成している。
このように構成された本発明においては、屈曲管路は屈曲管路の左右方向中央の軸線に対して一方側の内側側面が平坦な面形状に形成されているので、屈曲管路の左右方向中央の軸線に対して一方側のこの平坦面に沿った比較的小さな旋回半径の旋回流れを形成し、他方側では上記平坦面に沿った比較的小さな旋回半径の旋回流れよりも屈曲管路の内側側面に沿ったより大きな旋回半径の旋回流れを形成することができるので、これら一方側の旋回流れと他方側の旋回流れとが屈曲管路の内側で良好に重なり合い、屈曲管路の通水路の断面の水膜によるシールを早期に達成することができる。また、屈曲管路は、屈曲管路の左右方向中央の軸線に対して一方側の内側側面が平坦な面形状に形成されているので、屈曲管路全体の通水路の断面積を絞りすぎず、汚物等を詰まらせることを抑制しながら汚物等をスムーズに搬送することができる。このため、本発明によれば、通水路を適度に絞り且つ洗浄水を左右非対称の旋回流としてコントロールすることにより、サイホン作用を早期に発生させることができ、且つ少ない水で汚物等を排出することができ、サイホン発生後は汚物等をスムーズに搬送することが可能となる。
【０００９】
本発明において、好ましくは、屈曲管路は、平坦な面形状から下方に延びるＲ形状部が形成されている。
このように構成された本発明においては、屈曲管路は平坦な面形状から下方に延びるＲ形状部が形成されているので、立下管路から落下してきた洗浄水が、屈曲管路のＲ形状部に沿って上方にガイドされ、屈曲管路内でＲ形状部から上方に上記平坦な面形状に沿って上昇した後内側に旋回するように流れ易くなり、屈曲管路の通水路の断面の水膜を形成して断面をシールし易くなり、サイホン作用の起動をさらに早めることができる。
【００１０】
本発明において、好ましくは、屈曲管路は、Ｒ形状部から上方のほぼ全体において、一方側の内側側面が、平坦な面形状に形成されている。
このように構成された本発明においては、屈曲管路は、Ｒ形状部から上方のほぼ全体において、一方側の内側側面が、平坦な面形状に形成されているので、確実に、屈曲管路の左右方向中央の軸線に対して一方側のこの平坦面に沿った比較的小さな旋回半径の旋回流れを形成し、他方側では上記平坦面に沿った比較的小さな旋回半径の旋回流れよりも屈曲管路の内側側面に沿ったより大きな旋回半径の旋回流れを形成することができるので、これら一方側の旋回流れと他方側の旋回流れとが屈曲管路の内側で確実に重なり合い、屈曲管路の通水路の断面の水膜によるシールを早期に達成することができる。また、屈曲管路は、上記Ｒ形状部から上方のほぼ全体において、一方側の内側側面が平坦な面形状に形成されているので、屈曲管路全体の通水路の断面積を絞りすぎず、汚物等を詰まらせることを抑制しながら汚物等をスムーズに搬送することができる。このため、本発明によれば、通水路を適度に絞り且つ洗浄水を左右非対称の旋回流としてコントロールすることにより、サイホン作用を早期に確実に発生させることができ、且つ少ない水で汚物等を排出することができ、サイホン発生後は汚物等をスムーズに搬送することが可能となる。
【００１１】
本発明において、好ましくは、屈曲管路が、屈曲管路の内側下面の底部に、水溜り部を形成している。
このように構成された本発明においては、屈曲管路が、屈曲管路の内側下面の底部に、水溜り部を形成しているので、立下管路から落下してきた洗浄水が予め水溜り部に溜まっていた洗浄水と合わさって、予め水溜り部に溜まっていた洗浄水を用いながら、屈曲管路の通水路の断面の水膜によるシールをより早期に達成することができる。また、屈曲管路は、屈曲管路の内側下面の底部に、水溜り部を形成しているので、汚物等がこの水溜り部を通過することができ、屈曲管路全体の通水路の断面積を絞りすぎず、汚物等を詰まらせることを抑制しながら、汚物等をスムーズに搬送することができる。このため、本発明によれば、通水路を適度に絞り且つ洗浄水を左右非対称の旋回流としてコントロールすることにより、サイホン作用を早期に発生させることができ、且つ少ない水で汚物等を排出することができ、サイホン発生後は汚物等をスムーズに搬送することが可能となる。
【００１２】
本発明において、好ましくは、屈曲管路及び排水管路が、上記立下管路に着脱自在に取り付けられた排水ソケットにより形成されている。
このように構成された本発明においては、屈曲管路及び排水管路が、上記立下管路に着脱自在に取り付けられた排水ソケットにより形成されているので、便器への取り付け等が容易となり、また、設計及び製造の自由度が向上する。 
【００１３】
本発明において、好ましくは、立上管路と立下管路を備えたトラップ排水路を有する水洗大便器において、トラップ排水路の立下管路の下端に接続された屈曲管路と、この屈曲管路の下流端に接続された排水管路と、を有し、屈曲管路は、その屈曲管路の洗浄水が通過する通水路の断面積のうち、屈曲管路の左右方向中央の軸線に対して一方側の通水路の断面積が、他方側の通水路の断面積より小さく形成されている。
このように構成された本発明においては、水洗大便器が、その下流側が便器の後方に延びる壁排水用の排水管路を有する場合及びその下流側が便器の床下方向に延びる床排水用の排水管路を有する場合等にも、屈曲管路の洗浄水が通過する通水路の断面積において、屈曲管路の左右方向中央の軸線に対して一方側の通水路の断面積を、他方側の通水路の断面積より小さく形成したために、立下管路から落下してきた洗浄水が、屈曲管路の左右方向中央の軸線に対して一方側の通水路内で屈曲管路の内側側面に沿って流れる洗浄水の流れと、屈曲管路の左右方向中央の軸線に対して他方側の通水路内で屈曲管路の内側側面に沿って流れる洗浄水の流れと、を左右で異なるように形成させることができ、屈曲管路の通水路の断面の水膜によるシールを早期に達成することができる。また、屈曲管路の洗浄水が通過する通水路の断面積において、屈曲管路の左右方向中央の軸線に対して一方側の通水路の断面積を、他方側の通水路の断面積より小さく形成するので、屈曲管路全体の通水路の断面積を絞りすぎず、汚物等を詰まらせることを抑制しながら汚物等をスムーズに搬送することができる。このため、本発明によれば、通水路を適度に絞り且つ洗浄水を左右非対称の流れにコントロールすることにより、サイホン作用を早期に発生させることができ、且つ少ない水で汚物等を排出することができ、サイホン発生後は汚物等をスムーズに搬送することが可能となる。
【発明の効果】
【００１４】
本発明の水洗大便器によれば、サイホン作用を早期に発生させることができ、且つ少ない水で汚物等を排出することができ、サイホン発生後は汚物等をスムーズに搬送することができる。
【図面の簡単な説明】
【００１５】
【図１】本発明の実施形態による水洗大便器を示す上面図である。
【図２】図１のII−II線に沿って見た断面図である。
【図３】図２の排水ソケットを拡大した拡大断面図である。
【図４】図３のIV−IV線に沿って見た断面図である。
【図５】図３のV−V線に沿って見た断面図である。
【図６】図３のVI−VI線に沿って見た断面図である。
【図７】図３のVII−VII線に沿って見た断面図である。
【図８】本発明の実施形態による屈曲管路内の洗浄水の流れを下流方向から見て概略的に示す概略図である。
【発明を実施するための形態】
【００１６】
以下、添付図面を参照して、本発明の実施形態による水洗大便器を説明する。
先ず、図１及び図２により、本発明の実施形態による水洗大便器を説明する。図１は、本発明の実施形態による水洗大便器を示す上面図であり、図２は、図１のII−II線に沿って見た断面図である。
【００１７】
図１及び図２に示すように、本発明の実施形態による水洗大便器１は、所謂、壁排水タイプの水洗大便器であり、便器本体２を備え、この便器本体２には、リム吐水口（図示せず）と、汚物を受けるボウル部４と、このボウル部４の底部から延び汚物を外部へ排出するためのトラップ排水路６が形成されている。
トラップ排水路６は、ボウル部４の底部に設けられた入口部８と、この入口部８から頂部１０に向かって斜め上方に延びた立上管路１２と、この頂部１０から鉛直方向下方に向かう立下管路１４とを備えている。
【００１８】
トラップ排水路６の立下管路１４の下端には、排水ソケット１６が接続され、排水ソケット１６は、流路がほぼ直角に屈曲した屈曲管路１８と、その下流側が便器後方の壁に向かって横方向に延びる横排水管路２０と、排水ソケット１６全体の高さ等の位置を変更できる位置調節機構２５と、停電時に使用するフラッパー弁２６とを備えている。従って、トラップ排水路６の立下管路１４の下端に、排水ソケット１６の屈曲管路１８が接続され、さらに、この屈曲管路１８の便器後方側の下流端には、横方向に延びる横排水管路２０が接続されている。この横排水管路２０の下流端は、排水管（図示せず）を介して室内の排水管（図示せず）に接続される。
本実施形態の水洗大便器においては、屈曲管路１８及び横排水管路２０の部分を、トラップ排水路６とは別体の樹脂製の排水ソケット１６としている。この排水ソケット１６は、その上流端（上端）が、ゴム製のシール材２２により、トラップ排水路６の立下管路１４の下端に着脱自在に取り付けられるようになっている。
なお、他の実施形態（図示せず）においては、トラップ排水路の立上管路と立下管路、屈曲管路、及び、横排水管路が、陶器製であり、焼結により便器本体と共に一体的に成形されていてもよい。
【００１９】
次に、図３乃至図７により、屈曲管路１８について詳細に説明する。図３は、図２の排水ソケットを拡大した拡大断面図であり、図４は図３のIV−IV線に沿って見た断面図であり、図５は図３のV−V線に沿って見た断面図であり、図６は図３のVI−VI線に沿って見た断面図であり、図７は図３のVII−VII線に沿って見た断面図である。
屈曲管路１８は、鉛直方向下方に向かう立下管路１４の下端から横方向に延びる横排水管路２０までを接続する屈曲した管路であり、その底部において下方へ向かう椀形状（平皿形状）の凹みが形成されて洗浄水が溜まる水溜り部２４と、屈曲管路１８の内側下面の幅方向の右側端部をＲ形状に形成したＲ形状部２８と、屈曲管路１８の内側右側面３６にほぼ平坦な面形状に形成された平坦面３０を備えている。
本発明の実施形態において、「右側」は便器本体２の前方に立って使用する場合の使用者側から見た場合における右側を示し、「左側」は便器本体２の前方に立って使用する場合の使用者側から見た場合における左側を示している。
【００２０】
図１及び図４等に示すように、屈曲管路１８の左右方向中央の軸線Ａ０は、便器本体２の左右方向中央の軸線Ａ１、及び立下管路１４の左右方向中央の軸線Ａ２、及び横排水管路２０の左右方向中央の軸線Ａ３と同一の左右方向中央の平面上に配置されている。これに対し、屈曲管路１８内に形成された通水路の中心線Ａ４は、以下に説明するように屈曲管路１８内に左右非対称の通水路が形成されるので、左右非対称の通水路の形状に応じて、屈曲管路１８の左右方向中央の軸線Ａ０からずれて偏心された位置となっている。本発明の実施形態では、通水路中心線Ａ４は、横排水管路２０の軸線Ａ３から水平方向に偏心された位置に配置されている。
【００２１】
屈曲管路１８の水溜り部２４は、屈曲管路１８の内側下面の底部３２の通水路を下方に拡げるように形成されている。水溜り部２４においては、洗浄水が水位ＷＬ１まで溜まるようになっている。従って、屈曲管路１８内において、立下管路１４から流下してきた汚物等は屈曲管路１８の流入部下端３４と水溜り部２４との間の領域を通過することができるようになっており、且つ立下管路１４から流下してきた洗浄水は屈曲管路１８の流入部下端３４と水溜り部２４に溜まっている洗浄水の水位ＷＬ１との間の空間領域を洗浄水で満たして水膜を形成し、屈曲管路１８の通水路の断面の水膜によるシールを達成することができるようになっている。具体的に、流入下端３４の下流側端３４ａと横排水管路２０の下方側の上流側端２０ａとの間の通水路の断面Ａで水膜によるシールを達成することができるようになっていることが好ましい。
【００２２】
屈曲管路１８のＲ形状部２８は、屈曲管路１８の左右方向中央の軸線Ａ０に対して一方側の平坦面３０が形成される側の屈曲管路１８の内側下面の幅方向の端部においてＲ形状に形成されている。Ｒ形状部２８は、立下管路１４から流下する洗浄水を、水溜り部２４からＲ形状部２８に沿って平坦面３０に上昇させやすくすることができる。
【００２３】
屈曲管路１８の内側右側面３６においては、平坦面３０が、屈曲管路１８の左右方向中央の軸線Ａ０に対して一方側の通水路の内側側面を形成し、屈曲管路１８内の湾曲した内周左側面３８が、上記水洗大便器の左右方向中央の軸線に対して他方側の通水路の内側側面を形成している。
平坦面３０は、本実施形態においては屈曲管路１８の内側右側面３６に形成されているが、屈曲管路１８の内側左側面に形成されていてもよく、屈曲管路１８内の左右方向中央の軸線Ａ０に対して左右の通水路を左右非対称に形成するように屈曲管路１８の内側側面が他の形状に形成されてもよく、屈曲管路１８の内側両側面のうち少なくとも１面を平坦な形状にするように形成してもよい。
【００２４】
平坦面３０は、屈曲管路１８の内側右側面３６における、立下管路１４の下端から横排水管路２０の上流端までの領域のうち、Ｒ形状部２８より上部のほぼ全体の領域にわたって形成されている。
【００２５】
平坦面３０は、便器本体２の上下方向において、屈曲管路１８の内側右側面３６において、ほぼ垂直方向に直立する壁面として形成されている。平坦面３０は、Ｒ形状部２８の上端から上方に、立下管路１４の下端と屈曲管路１８との接続位置が変動した場合にも平坦面３０が立下管路１４の下端に形成されるように、屈曲管路１８の上端近傍まで延びて形成されている。この平坦面３０は、完全に平坦な面のみでなく、若干の湾曲や若干の凹凸の面も含むものである。
【００２６】
平坦面３０は、便器本体２の左右方向において、図４乃至図６に示すように、屈曲管路１８の左右方向中央の軸線Ａ０から距離ｌ1の位置に配置されている。この距離ｌ1は、屈曲管路１８内の平坦面３０が形成されていない側における軸線Ａ０から屈曲管路１８の内周左側面３８までの距離ｌ2よりも小さく設定されている。
【００２７】
平坦面３０は、便器本体２の前後方向において、屈曲管路１８の内側右側面３６のほぼ前端部３６ａからほぼ後端部３６ｂにわたって形成されている。
ここで、平坦面３０は、便器本体２の前後方向において、便器本体２の左右方向中央で便器前後方向に延びる軸線Ａ１と平行に延びて形成されている（且つ横排水管路２０の左右方向中央の便器前後方向に延びる軸線Ａ３とも平行に延びて形成されている）立壁状の面であるが、例えば便器本体２の便器前後方向に延びる軸線Ａ１に対して０度乃至５度の傾斜角度で便器本体２の後方に向かって外側に開くように延びて形成されていてもよく、また、例えば便器本体の便器前後方向に延びる軸線Ａ１に対して０度乃至５度の傾斜角度で便器本体２の後方に向かって内側に閉じるように延びて形成されていてもよい。平坦面３０を上記傾斜角度で形成することにより、水流をコントロールして洗浄水の旋回流を形成し易くなるだけでなく、さらに平坦面３０の形成を容易にすることができる。
【００２８】
このように形成された平坦面３０により、屈曲管路１８の左右方向中央の軸線Ａ０に対して一方側の屈曲管路１８の右側通水路Ｐ１の断面形状は、屈曲管路１８の左右方向中央の軸線Ａ０に対して他方側の屈曲管路１８の左側通水路Ｐ２の断面形状と異なり、屈曲管路１８内には軸線Ａ０に対して左右非対称の形状の通水路が形成されている。
ここで、屈曲管路１８の左右方向中央の軸線Ａ０に対して一方側の屈曲管路１８の右側通水路Ｐ１の断面積は、軸線Ａ０に対して他方側の屈曲管路１８の左側通水路Ｐ２の断面積よりも小さく形成されている。
【００２９】
本発明の実施形態の水洗大便器１は、所謂、壁排水タイプの水洗大便器であるが、変形例として、屈曲管路が、便器本体前方に向けて屈曲され、この屈曲管路の便器前方側の下流端には、床下に向かって縦方向に排水する縦排水管路が接続されているような、所謂、床排水タイプの水洗大便器にも本発明を適用することができる。
このように構成された変形例においても、屈曲管路の内側側面には、同様な、平坦面が形成されているので、上述した本発明の実施形態と同様な作用効果が奏される。
この変形例において、屈曲管路及び縦排水管路の部分を、トラップ排水路とは別体の樹脂製の排水ソケットとすることができ、また、トラップ排水路の立上管路と立下管路、屈曲管路、及び、縦排水管路が、陶器製であり、焼結により便器本体と共に一体的に成形されていてもよい。
【００３０】
次に、本発明の実施形態による屈曲管路１８内の洗浄水の流れを説明する。
図８は本発明の実施形態による屈曲管路１８内の洗浄水の流れを下流方向（横排水管路２０）から見て概略的に示す概略図である。ここで図８においては、洗浄水の流れを矢印で概略的に示している。
先ず、使用者により洗浄スイッチ（図示せず）が操作されると、リム吐水口（図示せず）から便器本体２内のボウル部４に洗浄水が供給される。これにより、ボウル部４の溜水の水位が上昇すると共に、トラップ排水路６内にも洗浄水が流入する。洗浄水は、トラップ排水路６の入口部８から立上管路１２内を上昇し、次に、立下管路１４内で鉛直方向下方に落下し、排水ソケット１６の屈曲管路１８に流入する。
屈曲管路１８内に流入する洗浄水は、水溜り部２４に流下し、予め水溜り部２４に溜まっていた洗浄水とともに、屈曲管路１８の内周に沿って上昇するような流れを形成する。このとき、洗浄水は、便器正面から見て屈曲管路１８の左右方向中央の軸線Ａ０から右側の右側通水路Ｐ１においては、水溜り部２４から屈曲管路１８の内側下面の右側端部におけるＲ形状部２８に沿って上昇し、便器正面から見て屈曲管路１８の左右方向中央の軸線Ａ０から左側の左側通水路Ｐ２においては、水溜り部２４から屈曲管路１８の内周左側面３８に沿って上に流れる。
【００３１】
図８に示すように、便器正面から見て屈曲管路１８の左右方向中央の軸線Ａ０から右側の右側通水路Ｐ１においては、洗浄水は、水溜り部２４からＲ形状部２８を通り平坦面３０に沿って上向きに流れた後、屈曲管路１８内側に向かって旋回するように流れる第１の旋回流れＦ１を形成する。
便器正面から見て屈曲管路１８の左右方向中央の軸線Ａ０から左側の左側通水路Ｐ２においては、洗浄水は、水溜り部２４から屈曲管路１８の内周左側面３８に沿って上昇しながら旋回するように流れる第２の旋回流れＦ２を形成する。
図８に示すように、一方側の第１の旋回流れＦ１は、平坦面３０から屈曲管路１８内側に向かって旋回するように折り返して流れるので、比較的小さな旋回半径ｒ１の旋回流れを形成し、第２の旋回流れＦ２は、屈曲管路１８の内周左側面３８に沿って屈曲管路１８の右側まで内周を旋回するように流れるので、第１の旋回流れＦ１と比較して大きな旋回半径ｒ２の旋回流れを形成している。
従って、一方側の第１の旋回流れＦ１と他方側の第２の旋回流れＦ２とが、屈曲管路１８内において、それぞれ旋回流れを形成するので二重の螺旋状の旋回流を形成するようになっている。
このように、第１の旋回流れＦ１と第２の旋回流れＦ２とが、それぞれ水流が異なる径の旋回流としてコントロールされて、第１の旋回流れＦ１と第２の旋回流れＦ２とが屈曲管路１８の中心方向に向かって良好に重なり合い、屈曲管路１８の通水路の中心近傍に水膜によるシールをより形成しやすくなり、洗浄が開始されてから早期に屈曲管路１８の通水路の断面の水膜によるシールを形成する。この水膜によるシールが早期に形成されると、トラップ排水路６が早期に満水状態となり、サイホン作用の起動が早められる。このサイホン作用により、汚物が横排水管路２０を経て外部に排出される。
【００３２】
洗浄水及び汚物等が、立下管路１４から鉛直方向下方に落下し、排水ソケット１６内の屈曲管路１８に流入するとき、洗浄水及び汚物等は、屈曲管路１８内において平坦面３０により狭められた通水路領域においても詰まることなくスムーズに搬送される。さらに、洗浄水及び汚物等は、水溜り部２４が形成されているので、屈曲管路１８内の通水路領域が平坦面３０により狭められている状態においても、屈曲管路１８の流入部下端３４と水溜り部２４との間の領域を詰まることなくスムーズに通過することができる。
また、屈曲管路１８の通水路は通水路の中心が水平方向に偏心されているので、立下管路１４から鉛直方向下方に落下した洗浄水及び汚物等は、水平方向に偏心した通水路に沿って左右非対称の旋回する流れが形成されやすく、サイホン作用の起動が早められ、更に、旋回した流れにより汚物が横排水管路２０を経て外部に排出され易くなる。
このように、サイホン発生後は汚物等をスムーズに横排水管路２０及び排水管（図示せず）等に搬送することができ、少ない水で汚物等を排出することが可能となる。
【００３３】
次に、上述した本発明の実施形態による水洗大便器の作用効果を説明する。
本実施形態においては、その下流側が便器の後方に延びる横排水管路２０に接続される屈曲管路１８の洗浄水が通過する通水路の断面積において、屈曲管路１８の左右方向中央の軸線Ａ０に対して一方側の右側通水路Ｐ１の断面積を、他方側の左側通水路Ｐ２の断面積より小さく形成したために、立下管路１４から落下してきた洗浄水が、屈曲管路１８の左右方向中央の軸線Ａ０に対して一方側の右側通水路Ｐ１内で屈曲管路１８の内側右側面３６に沿って上昇して内側に旋回するように流れる洗浄水の第１の旋回流れＦ１と、屈曲管路１８の左右方向中央の軸線Ａ０に対して他方側の左側通水路Ｐ２内で屈曲管路１８の内周左側面３８に沿って上昇して内側に旋回するように流れる洗浄水の第２の旋回流れＦ２と、を左右で異なるように形成させることができ、屈曲管路１８の通水路の断面の水膜によるシールを早期に達成することができる。また、屈曲管路１８の洗浄水が通過する通水路の断面積において、屈曲管路１８の左右方向中央の軸線Ａ０に対して一方側の右側通水路Ｐ１の断面積を、他方側の左側通水路Ｐ２の断面積より小さく形成するので、屈曲管路１８全体の通水路の断面積を絞りすぎず、汚物等を詰まらせることを抑制しながら汚物等をスムーズに搬送することができる。このため、本発明によれば、左右一方の通水路を適度に絞って狭く形成し且つ洗浄水を左右非対称の流れにコントロールすることにより、サイホン作用を早期に発生させることができ、且つ少ない水で汚物等を排出することができ、サイホン発生後は汚物等をスムーズに搬送することが可能となる。
【００３４】
また、本実施形態においては、屈曲管路１８は屈曲管路１８の左右方向中央の軸線Ａ０に対して一方側の内側側面が平坦面３０に形成されているので、屈曲管路１８の左右方向中央の軸線Ａ０に対して一方側のこの平坦面３０に沿った比較的小さな旋回半径ｒ１の第１の旋回流れＦ１を形成し、他方側では平坦面３０に沿った比較的小さな旋回半径ｒ１の旋回流れよりも屈曲管路１８の内側側面に沿ったより大きな旋回半径ｒ２の第２の旋回流れＦ２を形成することができるので、これら一方側の第１の旋回流れＦ１と他方側の第２の旋回流れＦ２とが屈曲管路１８の内側で良好に重なり合い、屈曲管路１８の通水路の断面の水膜によるシールを早期に達成することができる。また、屈曲管路１８は、屈曲管路１８の左右方向中央の軸線Ａ０に対して一方側の内側右側面３６が平坦面３０に形成されているので、屈曲管路１８全体の通水路の断面積を絞りすぎず、汚物等を詰まらせることを抑制しながら汚物等をスムーズに搬送することができる。このため、本発明によれば、左右一方の通水路を適度に絞って狭く形成し且つ洗浄水を左右非対称の旋回流としてコントロールすることにより、サイホン作用を早期に発生させることができ、且つ少ない水で汚物等を排出することができ、サイホン発生後は汚物等をスムーズに搬送することが可能となる。
【００３５】
また、本実施形態においては、屈曲管路１８は平坦面３０から下方に延びるＲ形状部２８が形成されているので、立下管路１４から落下してきた洗浄水が、屈曲管路１８のＲ形状部２８に沿って上方にガイドされ、屈曲管路１８内でＲ形状部２８から上方に平坦面３０に沿って上昇した後内側に旋回するように流れ易くなり、屈曲管路１８の通水路の断面の水膜を形成して断面をシールし易くなり、サイホン作用の起動をさらに早めることができる。
【００３６】
また、本実施形態においては、屈曲管路１８は、Ｒ形状部２８から上方のほぼ全体において、一方側の内側右側面３６が、平坦面３０に形成されているので、確実に、屈曲管路１８の左右方向中央の軸線に対して一方側のこの平坦面３０に沿った比較的小さな旋回半径ｒ１の第１の旋回流れＦ１を形成し、他方側では平坦面３０に沿った比較的小さな旋回半径ｒ１の第１の旋回流れＦ１よりも屈曲管路１８の内周左側面３８に沿ったより大きな旋回半径ｒ２の第２の旋回流れＦ２を形成することができるので、これら一方側の第１の旋回流れＦ１と他方側の第２の旋回流れＦ２とが屈曲管路１８の内側で確実に重なり合い、屈曲管路１８の通水路の断面の水膜によるシールを早期に達成することができる。また、屈曲管路１８は、Ｒ形状部２８から上方のほぼ全体において、一方側の内側右側面３６が平坦面３０形状に形成されているので、屈曲管路１８全体の通水路の断面積を絞りすぎず、汚物等を詰まらせることを抑制しながら汚物等をスムーズに搬送することができる。このため、本発明によれば、左右一方の通水路を適度に絞って狭く形成し且つ洗浄水を左右非対称の旋回流としてコントロールすることにより、サイホン作用を早期に確実に発生させることができ、且つ少ない水で汚物等を排出することができ、サイホン発生後は汚物等をスムーズに搬送することが可能となる。
【００３７】
このように構成された本発明においては、屈曲管路１８が、屈曲管路１８の内側下面の底部に、水溜り部２４を形成しているので、立下管路１４から落下してきた洗浄水が予め水溜り部２４に溜まっていた洗浄水と合わさって、予め水溜り部２４に溜まっていた洗浄水を用いながら、屈曲管路１８の通水路の断面の水膜によるシールをより早期に達成することができる。また、屈曲管路１８は、屈曲管路１８の内側下面の底部に、水溜り部２４を形成しているので、汚物等が長大である場合にもこの水溜り部２４を通過することができ、屈曲管路１８全体の通水路の断面積を絞りすぎず、汚物等の詰まりを抑制しながら、汚物等をスムーズに搬送することができる。このため、本発明によれば、左右一方の通水路を適度に絞って狭く形成し且つ洗浄水を左右非対称の旋回流としてコントロールすることにより、サイホン作用を早期に発生させることができ、且つ少ない水で汚物等を排出することができ、サイホン発生後は汚物等をスムーズに搬送することが可能となる。
【００３８】
このように構成された本発明においては、屈曲管路１８及び横排水管路２０が、立下管路１４に着脱自在に取り付けられた排水ソケット１６により形成されているので、便器への取り付け等が容易となり、また、設計及び製造の自由度が向上する。 
【００３９】
このように構成された本発明においては、水洗大便器１が、その下流側が便器の後方に延びる壁排水用の排水管路を有する場合及びその下流側が便器の床下方向に延びる床排水用の排水管路を有する場合にも、屈曲管路１８の洗浄水が通過する通水路の断面積において、屈曲管路１８の左右方向中央の軸線Ａ０に対して一方側の右側通水路Ｐ１の断面積を、他方側の左側通水路Ｐ２の断面積より小さく形成したために、立下管路１４から落下してきた洗浄水が、屈曲管路１８の左右方向中央の軸線Ａ０に対して一方側の右側通水路Ｐ１内で屈曲管路１８の内側右側面３６に沿って上昇して内側に旋回するように流れる洗浄水の第１の旋回流れＦ１と、屈曲管路１８の左右方向中央の軸線Ａ０に対して他方側の左側通水路Ｐ２内で屈曲管路１８の内周左側面３８に沿って上昇して内側に旋回するように流れる洗浄水の第２の旋回流れＦ２と、を左右で異なるように形成させることができ、屈曲管路１８の通水路の断面の水膜によるシールを早期に達成することができる。また、屈曲管路１８の洗浄水が通過する通水路の断面積において、屈曲管路１８の左右方向中央の軸線Ａ０に対して一方側の右側通水路Ｐ１の断面積を、他方側の左側通水路Ｐ２の断面積より小さく形成するので、屈曲管路１８全体の通水路の断面積を絞りすぎず、汚物等を詰まらせることを抑制しながら汚物等をスムーズに搬送することができる。このため、本発明によれば、左右一方の通水路を適度に絞って狭く形成し且つ洗浄水を左右非対称の旋回流としてコントロールすることにより、サイホン作用を早期に発生させることができ、且つ少ない水で汚物等を排出することができ、サイホン発生後は汚物等をスムーズに搬送することが可能となる。
【符号の説明】
【００４０】
１            水洗大便器
２            便器本体
４            ボウル部
６            トラップ排水路
８            入口部
１０          頂部
１２          立上管路
１４          立下管路
１６          排水ソケット
１８          屈曲管路
２０          横排水管路
２２          シール材
２４          水溜り部
２６          フラッパー弁
２８          Ｒ形状部
３０          平坦面
３２          底部
３４          流入部下端
３６          内側右側面
３６ａ        前端部
３６ｂ        後端部
３８          内周左側面
Ａ０          軸線
Ａ１          軸線
Ａ２          軸線
Ａ３          軸線
Ａ４          中心線
Ａ５          軸線
ｌ1           距離
ｌ2           距離
Ｐ１          右側通水路
Ｐ２          左側通水路
ｒ１          旋回半径
ｒ２          旋回半径
ＷＬ１        水位
【図１】
2014070416.tif 000003
【図２】
2014070416.tif 000004
【図３】
2014070416.tif 000005
【図４】
2014070416.tif 000006
【図５】
2014070416.tif 000007
【図６】
2014070416.tif 000008
【図７】
2014070416.tif 000009
【図８】
2014070416.tif 000010